(57)【特許請求の範囲】
【請求項１】
雨水ますの内側面に支持されたマスプレートに設けられた孔の下側に隙間をあけて配置された内かごと、この内かごを囲むように前記マスプレートの下側に隙間をあけて配置された外かごとを備える雨水ます用フィルターであって、
双方の隙間の高さは、前記内かごの上端からあふれた雨水中のゴミが、前記マスプレートの孔から流入する雨水によって前記内かごと前記外かごの間の空間へ流し出すことが可能な高さに設定され、
前記内かごと前記外かごは、前記マスプレートに吊り具を用いて取り付けられ、
双方の吊り具は、対応するかごの吊り下げ位置を上下に調整可能に構成されていることを特徴とする雨水ます用フィルター。
【請求項２】
請求項１に記載の雨水ます用フィルターにおいて、
前記外かごの上端面を前記内かごの上端面よりも低く設置したことを特徴とする雨水ます用フィルター。
【請求項３】
請求項１または請求項２に記載の雨水ます用フィルターにおいて、
前記内かごの底部と前記外かごの底部との間には空間が形成されていることを特徴とする雨水ます用フィルター。
【請求項４】
請求項１〜請求項３のいずれか１項に記載の雨水ます用フィルターにおいて、
前記内かごに形成されている孔を、前記外かごに形成されている孔よりも大きく形成したことを特徴とする雨水ます用フィルター。
【発明の詳細な説明】
【技術分野】
【０００１】
本件発明は、雨水ます用フィルターに関する。
【背景技術】
【０００２】
従来より、道路の側溝等には一般的に雨水ますが設けられている。この雨水ます内には、雨水ます用フィルターが配置されている（例えば特許文献１参照）。
【０００３】
図１５に、雨水ます１１内に従来の雨水ます用フィルター１０１が配置された状態を示す。ここで、雨水ます１１の構造について説明しておく。雨水ます１１は、ます本体１２と、ふた１３とを備えている。
【０００４】
ます本体１２は、側溝１０内に埋設されている。このます本体１２は箱型状に形成されており、上面が開口している。ます本体１２の下部には排水口１４が設けられており、この排水口１４の内側には水平フィルター１５が装着されている。ふた１３は、ます本体１２の上面の開口部を塞ぐように配置されており、このふた１３には、２つの孔１３ａ、１３ｂが形成されている。
【０００５】
従来の雨水ます用フィルター１０１は、マスプレート１０２と、内かご１０３と、外かご１０４とを備えている。マスプレート１０２は、ます本体１２内で内側面１２ａに支持されて配置され、平板状に形成されており、中央部分に孔１０２ａが開口されており、この孔１０２ａは、ふた１３の道路側の孔１３ａの下方に配置されている。
【０００６】
双方のかご１０３、１０４は、マスプレート１０２の孔１０２ａの下側に配置されており、外かご１０４はマスプレート１０２に固定されている。内かご１０３は、マスプレート１０２の孔１０２ａに上方からはめ込まれて、外かご１０４内に配置されている。また、内かご１０３に形成されている格子孔１０３ａは、外かご１０４に形成されている格子孔１０４ａよりも大きく設定されている。
【０００７】
以上のように構成されている従来の雨水ます用フィルター１０１は、降雨時には、図１６に示すように、雨水Ｒがゴミとともにふた１３の孔１３ａを通過して内かご１０３内に入る。このときに大きなゴミＡ（落葉等）は内かご１０３の格子孔１０３ａに捕捉される。また、内かご１０３の格子孔１０３ａよりも小さいゴミ（タバコのフィルター等：図示せず）は雨水Ｒとともに内かご１０３を通過して外かご１０４内に入り、外かご１０４の格子孔１０４ａに捕捉される。
【０００８】
従来の雨水ます用フィルター１０１は、以上のようにして雨水Ｒから大部分のゴミを除去している。雨水Ｒは外かご１０４を通過してます本体１２内に入り、水平フィルター１５を通過して排水口１４から流出管１６を経て、雨水貯留浸透槽や下水管（不図示）へ排出される。
【先行技術文献】
【特許文献】
【０００９】
【特許文献１】特開２００３−１１９８７２号公報
【発明の概要】
【発明が解決しようとする課題】
【００１０】
しかしながら、従来の雨水ます用フィルター１０１は、図１６に示すように内かご１０３からゴミＡがあふれると、ふた１３の孔１３ａがすぐに詰まり、ふた１３が冠水してしまう。そのため、内かご１０３を頻繁に取り出して清掃しなければならなかった。
【００１１】
本件発明は、このような従来の課題に鑑みてなされたものであり、内かごの清掃作業の省力化を図ることができる雨水ます用フィルターを提供することを目的とする。
【課題を解決するための手段】
【００１２】
本件発明者等は、鋭意研究の結果、前記課題を解決するために以下のような雨水ます用フィルターを採用した。
【００１３】
本件発明の雨水ます用フィルターは、
雨水ますの内側面に支持されたマスプレートに設けられた孔の下側に隙間をあけて配置された内かごと、この内かごを囲むように前記マスプレートの下側に隙間をあけて配置された外かごとを備える雨水ます用フィルターであって、
双方の隙間の高さは、前記内かごの上端からあふれた雨水中のゴミが、前記マスプレートの孔から流入する雨水によって前記内かごと前記外かごの間の空間へ流し出すことが可能な高さに設定されていることを特徴としている。
【００１４】
ここで、内かごの底部と外かごの底部との間には空間が形成されていることが好ましい。また、外かごの上端面は内かごの上端面よりも低く設置されることが好ましい。さらに、内かごと外かごはマスプレートに吊り具を用いて取り付けられ、双方の吊り具は、対応するかごの吊り下げ位置を上下に調整可能に構成されていることが好ましい。
【００１５】
また、内かごに形成されている孔は、外かごに形成されている孔よりも大きく形成されることが好ましい。
【発明の効果】
【００１６】
本件発明の雨水ます用フィルターでは、双方のかごとマスプレートとの間に隙間を設けた。これにより、内かごの上端からゴミがあふれても、そのゴミを雨水を利用して内かごと外かごの間の空間へ流し出すことが可能になる。したがって、マスプレートの孔がすぐに詰まることがないので内かごを頻繁に取り出して清掃する必要がない。よって、本件発明の雨水ます用フィルターは、内かごの清掃作業の省力化を図ることができる。
【図面の簡単な説明】
【００１７】
【図１】本件発明の第１の実施の形態の雨水ます用フィルターの使用前の状態を示す模式図である。
【図２】同実施の形態の雨水ます用フィルターの使用中の状態を示す模式図である。
【図３】本件発明の第２の実施の形態の雨水ます用フィルターの使用前の状態を示す模式図である。
【図４】同実施の形態の雨水ます用フィルターの使用中の状態を示す模式図である。
【図５】本件発明の第３の実施の形態の雨水ます用フィルターの使用前の状態を示す模式図である。
【図６】同実施の形態の雨水ます用フィルターの使用中の状態を示す模式図である。
【図７】本件発明の第４の実施の形態の雨水ます用フィルターの使用前の状態を示す模式図である。
【図８】同実施の形態の雨水ます用フィルターの使用中の状態を示す模式図である。
【図９】本件発明の第５の実施の形態の雨水ます用フィルターの斜視図である。
【図１０】同実施の形態において内かごの上部の拡大図である。
【図１１】同実施の形態において内かごの出し入れの状態を示す図である。
【図１２】同実施の形態において外かごの吊り下げ部分の拡大図である。
【図１３】外かごの吊り下げ部分の変形例を示す図である。
【図１４】雨水ます用フィルターの変形例を示す平面図である。
【図１５】従来の雨水ます用フィルターの使用前の状態を示す模式図である。
【図１６】従来の雨水ます用フィルターの使用中の状態を示す模式図である。
【発明を実施するための形態】
【００１８】
以下、本件発明の実施の形態を図にしたがって説明する。
【００１９】
（第１の実施の形態）
図１は、本件発明の第１の実施の形態の雨水ます用フィルター１の使用前の状態を示す模式図である。なお、本実施の形態では従来と同じ部分には同じ符号を付している。本実施の形態の雨水ます用フィルター１は、マスプレート１０２と、内かご２と、外かご３と、複数の内かご２用の吊り具４と、複数の外かご３用の吊り具５とを備えている。
【００２０】
内かご２は、マスプレート１０２の孔１０２ａの下側に隙間Ｓａをあけて配置されており、複数の吊り具４を用いてマスプレート１０２に着脱可能に取り付けられている。この内かご２は、樹脂によって円筒状に形成されており、上面が開口している。
【００２１】
内かご２の外径（横幅）は、マスプレート１０２の孔１０２ａの径よりも小さく設定されている。したがって、内かご２を孔１０２ａを介して出し入れすることが可能になっている。内かご２の側部２ｂと底部２ｃとには、多数の孔２ａが全体にわたって形成されている。この孔２ａは、大きなゴミ（落葉等）を捕捉するものである。
【００２２】
外かご３は、内かご２を囲むようにしてマスプレート１０２の孔１０２ａの下側に隙間Ｓｂをあけて配置されており、複数の吊り具５を用いてマスプレート１０２に固定されている。この外かご３は、樹脂によって円筒状に形成されており、上面が開口している。外かご３の側部３ｂと底部３ｃとには、多数の孔３ａが全体にわたって形成されている。この孔３ａは、小さなゴミ（タバコのフィルター等）を捕捉するものであり、内かご２の孔２ａよりも小さく形成されている。
【００２３】
以上のように構成されている雨水ます用フィルター１は、従来と同様な方法で雨水Ｒから大部分のゴミを除去する。これについて説明すると、降雨時には、図２に示すように、雨水Ｒがゴミとともにふた１３の孔１３ａ、マスプレート１０２の孔１０２ａを通過して内かご２内に入る。ここで大きなゴミＡ（落葉等）は、内かご２の孔２ａで捕捉される。続いて、内かご２の孔２ａよりも小さいゴミ（タバコのフィルター等：図示せず）は雨水Ｒとともに内かご２を通過して外かご３内に入り、外かご３の孔３ａで捕捉される。
【００２４】
このようにしてゴミが除去された雨水Ｒは、外かご３を通過してます本体１２内に入り、水平フィルター１５を通過して排水口１４から流出管１６を経て雨水貯留浸透槽や下水管（不図示）へ排出される。
【００２５】
そして、本実施の形態の雨水ます用フィルター１では、双方のかご２、３とマスプレート１０２との間に隙間Ｓａを設けている。双方の隙間Ｓａの高さＳａｈ（図１参照）は、内かご２の上端からあふれた大きなゴミＡがマスプレート１０２の孔１０２ａから流入する雨水Ｒによって内かご２と外かご３の間の空間へ流し出すことが可能な高さに設定されている。この高さは、本実施の形態では、例えば２０ｍｍ〜５０ｍｍに設定される。
【００２６】
したがって、図２に示すように内かご２の上端から落葉等の大きなゴミＡがあふれても、この隙間Ｓａを利用してゴミＡを内かご２と外かご３の間の空間へ流し出すことが可能になる。そのため、マスプレート１０２の孔１０２ａやふた１３の孔１３ａがすぐに詰まることがないので、内かご２を頻繁に取り出して清掃する必要がない。よって、本実施の形態の雨水ます用フィルター１は、内かご２の清掃作業の省力化を図ることができる。
【００２７】
また、本実施の形態の雨水ます用フィルター１では、双方のかご２、３の底部２ｃ、３ｃの間に空間Ｓｂを設けている。このため、内かご２の底部２ｃがゴミＡで詰まっても、内かご２からしみでた雨水Ｒは、この空間Ｓｂを通って外かご３の底部３ｃから排出することが可能になる。このように本実施の形態の雨水ます用フィルター１では、双方のかご２、３の底部２ｃ、３ｃが面接している場合に比べ、外かご３の底部３ｃから雨水Ｒを排出することが可能になる分、雨水Ｒの排出効率を高めることができる。
【００２８】
また、本実施の形態の雨水ます用フィルター１では、内かご２の孔２ａを外かご３の孔３ａよりも大きく形成したので、内かごの孔２ａがゴミですぐに詰まるのを防ぐことができる。よって、本実施の形態の雨水ます用フィルター１は、雨水Ｒの排出効率の低下を抑えることができる。
【００２９】
また、本実施の形態の雨水ます用フィルター１では、双方のかご２、３を樹脂で形成したので、雨水ます用フィルター１全体の軽量化を図ることができ、内かご２の清掃作業の作業性を高めることができる。
【００３０】
（第２の実施の形態）
図３は、本件発明の第２の実施の形態の雨水ます用フィルター６の使用前の状態を示す模式図である。なお、本実施の形態では、第１の実施の形態と同じ部分には同じ符号を付し、異なる部分を中心にして説明する。本実施の形態の雨水ます用フィルター６は、マスプレート１０２と、内かご２と、外かご７と、複数の内かご２用の吊り具４と、複数の外かご７用の吊り具８とを備えている。
【００３１】
双方のかご２、７は、樹脂により円筒状に形成されている。そして、外かご７の上端面が内かご２の上端面よりも低く設置されている。具体的には、外かご７の上端面を、第１の実施の形態の外かご３（図１参照）の上端面よりも高さが低くなるように形成している。外かご７の側部７ｂと底部７ｃとには、多数の孔７ａが全体にわたって形成されている。この孔７ａは、第１の実施の形態の外かご３の孔３ａと同じものである。
【００３２】
このようにして外かご７の上端面を内かご２の上端面よりも低く設置した場合には、外かご７とマスプレート１０２との間の隙間Ｓｃの高さＳｃｈが、内かご２とマスプレート１０２との間の隙間Ｓａの高さＳａｈよりも大きくなる。したがって、図４に示すように内かご２の上端から落葉等の大きなゴミＡがあふれても、そのゴミＡを雨水Ｒによって内かご２と外かご７の間の空間やます本体１２内の方へ流し出すことが可能になる。そのため、マスプレート１０２の孔１０２ａの詰まり、ふた１３の孔１３ａの詰まり、隙間Ｓａ、Ｓｃ自体の詰まりを確実に抑えることが可能になる。よって、本実施の形態の雨水ます用フィルター６は、第１の実施の形態の雨水ます用フィルター１に比べて内かご２を取り出す頻度がさらに抑えられ、内かご２の清掃作業をさらに省力化できる。
【００３３】
なお、第１の実施の形態の外かご３を使用する場合には、外かご３を本実施の形態の吊り具８を用いてマスプレート１０２に取り付ければ、外かご３の上端面を内かご２の上端面よりも低く設置することが可能である。
【００３４】
（第３の実施の形態）
図５は、本件発明の第３の実施の形態の雨水ます用フィルター９の使用前の状態を示す模式図である。なお、本実施の形態では、第２の実施の形態と同じ部分には同じ符号を付し、異なる部分を中心にして説明する。本実施の形態の雨水ます用フィルター９は、マスプレート１０２と、内かご２と、外かご７と、複数の内かご２用の吊り具９１と、複数の外かご７用の吊り具９２とを備えている。
【００３５】
そして、本実施の形態では、複数の吊り具９１、９２が、それぞれ、内かご２の吊り下げ位置、外かご７の吊り下げ位置を上下に調整可能なように構成されている。以下に具体的に説明する。
【００３６】
内かご２用の吊り具９１は、２枚の調整プレート９３と、２本のワイヤ９４と、２つの固定具９６とを備えている。２枚の調整プレート９３は、内かご２の側部２ｂの上部に対向して取り付けられている。この調整プレート９３には、複数の孔９３ａが上下に間隔をおいて設けられている。固定具９６はマスプレート１０２に取り付けられている。この固定具９６はネジ止め式であり、ボルト９６ａとナット９６ｂとを備えている。
【００３７】
ワイヤ９４の一端は、調整プレート９３の孔９３ａに係止されている。ワイヤ９４の他端は、マスプレート１０２の孔１０２ａの外側に設けられた通し孔１０２ｂを介して固定具９６のボルト９６ａとナット９６ｂとの間に係止されている。したがって、ワイヤ９４の一端を係止する調整プレート９３の孔９３ａの位置を変えることにより、内かご２の吊り下げ位置を上下に調整することが可能になっている。
【００３８】
外かご７用の吊り具９２は、２枚の調整プレート９３と、２本のワイヤ９５と、２つの固定具９６とを備えている。２枚の調整プレート９３は、外かご７の側部７ｂの上部に対向して取り付けられている。
【００３９】
ワイヤ９５の一端は、調整プレート９３の孔９３ａに係止されている。ワイヤ９５の他端は、固定具９６のボルト９６ａとナット９６ｂとの間に係止されている。したがって、ワイヤ９５の一端を係止する調整プレート９３の孔９３ａの位置を変えることにより、外かご７の吊り下げ位置を上下に調整することが可能になっている。
【００４０】
なお、内かご２の吊り具を、調整プレート９３を使用せずにワイヤ９４と固定具９６とから構成しても良い。この場合には、ワイヤ９４の他端を内かご２の孔２ａに係止することになる。同様に、外かご７の吊り具も、調整プレート９３を使用せずにワイヤ９５と固定具９６とから構成しても良い。この場合には、ワイヤ９５の他端を外かご７の孔７ａに係止することになる。したがって、孔２ａ、７ａの位置を上下に変えることにより、双方のかご２、７の吊り下げ位置をそれぞれ上下に調整することが可能になる。
【００４１】
このように双方のかご２、７の吊り下げ位置を上下に調整すると、双方のかご２、７とマスプレート１０２との間の隙間Ｓａ、Ｓｃの高さＳａｈ、Ｓｃｈを、降雨時におけるゴミの流入量に応じて自由に変えることができる。例えば、ゴミの流入量が多い場合には、双方の隙間Ｓａ、Ｓｃの高さＳａｈ、Ｓｃｈを通常よりも大きく設定する。
【００４２】
したがって、図６に示すように、内かご２の上端から落葉等の大きなゴミＡがあふれても、ゴミＡとマスプレート１０２の孔１０２ａとの間に余裕があるので、そのゴミＡを雨水Ｒによって内かご２と外かご７の間の空間やます本体１２内の方へ容易に流し出すことが可能になる。その結果、マスプレート１０２の孔１０２ａの詰まり、ふた１３の孔１３ａの詰まり、隙間Ｓａ、Ｓｃ自体の詰まりをより確実に抑えることが可能になる。よって、本実施の形態の雨水ます用フィルター９は、ゴミの流入量に関わらず、内かご２の清掃作業を確実に省力化できる。
【００４３】
（第４の実施の形態）
図７は、本件発明の第４の実施の形態の雨水ます用フィルター２１の使用前の図である。なお、本実施の形態では、第２の実施の形態と同じ部分には同じ符号を付し、異なる部分を中心にして説明する。本実施の形態の雨水ます用フィルター２１は、マスプレート１０２と、内かご２２と、外かご７と、複数の内かご２２用の吊り具４と、複数の外かご７用の吊り具８とを備えている。
【００４４】
内かご２２は、マスプレート１０２の孔１０２ａの下側に隙間Ｓｄをあけて配置され、複数の吊り具４を用いてマスプレート１０２に着脱可能に取り付けられている。この内かご２２は、樹脂によって円筒状に形成されており、上面が開口している。
【００４５】
内かご２２の外径（横幅）は、マスプレート１０２の孔１０２ａの径よりも小さく設定されている。したがって、内かご２２を孔１０２ａを介して出し入れすることが可能になっている。内かご２２の側部２２ｂと底部２２ｃとには、多数の孔２２ａが全体にわたって形成されている。この孔２２ａは、上記の各実施の形態の内かご２の孔２ａと同じものである。そして、本実施の形態では、内かご２２の上端２２ｄが、ふた１３の孔１３ａに近い側から下方へ斜めにカットされている。
【００４６】
したがって、図８に示すように内かご２２の上端から落葉等の大きなゴミＡがあふれた場合には、そのゴミＡが落下しやすくなるので、そのゴミＡを内かご２２と外かご７の間の空間やます本体１２内の方へ容易に流し出すことが可能になる。そのため、マスプレート１０２の孔１０２ａの詰まり、ふた１３の孔１３ａの詰まり、隙間Ｓｄ、Ｓｃ自体の詰まりを確実に抑えることができる。よって、本実施の形態の雨水ます用フィルター２１では、内かご２２の清掃作業を確実に省力化できる。
【００４７】
さらに、外かご７の上端を内かご２２と同様に斜めにカットしても良い。この場合には、外かご７に入った落葉等の大きなゴミＡをます本体１２内へ容易に落とすことが可能になり、外かご７が大きなごみＡで詰まるのが抑えられ、雨水の排出効率を高い状態で維持できるという効果を得ることができる。
【００４８】
なお、本実施の形態では、内かご２２と外かご７の高さを固定していたが、第３の実施の形態で説明した吊り具９１、９２を用いて双方のかご２２、７の高さを変えるようにしても良い。
【００４９】
（第５の実施の形態）
図９は、本件発明の第５の実施の形態の雨水ます用フィルター３１の斜視図である。なお、本実施の形態では、上記の実施の形態と同じ部分には同じ符号を付し、異なる部分を中心にして説明する。本実施の形態の雨水ます用フィルター３１は、マスプレート１０２と、内かご３２と、外かご３３と、内かご３２用の２つの吊り具３４と、外かご３３用の４つの吊り具３５とを備えている。
【００５０】
内かご３２は、マスプレート１０２の孔１０２ａの下側に隙間Ｓａをあけて配置され、２つの吊り具３４を用いてマスプレート１０２に着脱可能に取り付けられている。
【００５１】
また、この内かご３２は円筒状に形成されて上面が開口している。これを具体的に説明すると、内かご３２の側部３２ｂは、樹脂製の網を円筒状に丸めて両端を紐で結ぶ等して形成されている。内かご３２の底部３２ｃは、側部３２ｂと同様に樹脂製の網から形成されている。この底部３２ｃは、側部３２ｂの下端部に紐等で取り付けられている。
【００５２】
したがって、この内かご３２は、側部３２ｂと底部３２ｃを形成している網の目が孔３２ａを形成している。この孔３２ａは、上記の各実施の形態で説明した内かごの孔と同様に大きなゴミ（落葉等）を捕捉するものである。
【００５３】
また、側部３２ｂの上下端部には、保持部材３２１がそれぞれ装着されている。この保持部材３２１は樹脂によってリング状に形成されており、内かご３２の形状を保持するものである。双方の保持部材３２１の内部には、図１０に示すように補強部材３２２が設けられている。この補強部材３２２は金属製であって、リング状に形成されている。なお、図１０では上側の保持部材３２１を示している。
【００５４】
さらに、図１０において、保持部材３２１の上面には、一対の切り欠き３２１ａ，３２１ａが対向して形成されている。この切り欠き３２１ａ，３２１ａによって、補強部材３２２の一部が対向して露出している。この露出した部分には、取っ手３２３の両端が引っ掛けられている。この取っ手３２３は金属によって逆Ｕ字状に形成されている。
【００５５】
また、２つの吊り具３４は、それぞれ金属によって鉤状に形成されている。各吊り具３４は、引っ掛け部３４ａと、支持部３４ｂとから形成されている。引っ掛け部３４ａは、図９に示すようにマスプレート１０２の孔１０２ａの周縁部に引っ掛けられて固定されている。支持部３４ｂは、図１０に示すように、その下端部３４ｃが上側の保持部材３２１の外側面（内かご３２の外側面）に固定されている。
【００５６】
また、図１１に示すように、内かご３２の外径（横幅）は、マスプレート１０２の孔１０２ａの径よりも小さく設定されている。これにより、作業者は、取っ手３２３を持って内かご３２を孔１０２ａを介して出し入れすることにより内かご３２の着脱が可能になっている。このときに、吊り具３４，３４は、支持部３４ｂ，３４ｂがマスプレート１０２の孔１０２ａの内周面に当接するように形成されている。したがって、この吊り具３４，３４と孔１０２ａは、内かご３２を出し入れするときのガイドになる。よって、本実施の形態の雨水ます用フィルター３１は、内かご３２の出し入れをスムーズに行うことができる。
【００５７】
さらに、内かご３２は、保持部材３２１と補強部材３２２とによって形状が常に保持されているので、出し入れの際の変形を防ぐこともできる。
【００５８】
次に、外かご３３について説明する。図９に示すように外かご３３は、内かご３２を囲むようにしてマスプレート１０２の孔１０２ａの下側に隙間Ｓｃをあけて配置されており、４本の吊り具３５を用いてマスプレート１０２に固定されている。なお、外かご３３の底部３３ｃと内かご３２の底部３２ｃとの間には、上記の各実施の形態と同様に空間Ｓｂが設けられている。
【００５９】
また、外かご３３は円筒状に形成されて上面が開口している。これを具体的に説明すると、外かご３３の側部３３ｂは、樹脂製の網を円筒状に丸めて両端を紐で結ぶ等して形成されている。外かご３３の底部３３ｃは、側部３３ｂと同様に樹脂製の網から形成されている。この底部３３ｃは、側部３３ｂの下端部に紐等で取り付けられている。
【００６０】
したがって、この外かご３３は、側部３３ｂと底部３３ｃを形成している網の目が孔３３ａを形成している。この孔３３ａは、上記の各実施の形態で説明した外かごの孔と同様に小さなゴミ（タバコのフィルター等）を捕捉するものであり、内かご３２の孔３２ａよりも小さく形成されている。
【００６１】
また、側部３３ｂの上下端部には、保持部材３３１がそれぞれ装着されている。この保持部材３３１は樹脂製であり、リング状に形成されている。そして、この保持部材３３１は外かご３３の形状を保持するものである。双方の保持部材３３１の内部には、それぞれ補強部材（図示せず）が設けられている。この補強部材は金属製であり、リング状に形成されている。
【００６２】
図１２に示すように上側の保持部材３３１は、２つの樹脂製のリング部材３３２が上下に重ねられて形成されている。上側のリング部材３３２の外周面には、４つの取付部３３３が設けられている。この４つの取付部３３３は、上側のリング部材３３２の外周面で等間隔（十字方向）に配置されている。各取付部３３３は側方に突出して形成されている。また、各取付部３３３には、取付孔（図示せず）が上下に貫通して設けられている。
【００６３】
また、４つの吊り具３５は、外かご３３の上下位置の調整が可能になっている。これを具体的に説明すると、図９と図１２に示すように、各吊り具３５は、支持棒３５ａと、３つのナット３５ｂとを備えている。
【００６４】
支持棒３５ａは、マスプレート１０２の孔１０２ａの周囲に設けられた取付孔（図示せず）と、保持部材３３１の取付部３３３の取付孔（図示せず）とを貫通して上下に長く配置されている。この支持棒３５ａにはねじが切られている。
【００６５】
３つのナット３５ｂの内の１つは、図９に示すようにマスプレート１０２の上方から支持棒３５ａの上端部に螺合してマスプレート１０２の上面に固定されている。残りの２つのナット３５ｂは、図１２に示すように取付部３３３を挟むようにして支持棒３５ａに螺合されている。
【００６６】
以上のように構成されている４つの吊り具３５において、外かご３３の上下位置を調整する場合には、取付部３３３を挟んでいる２つのナット３５ｂを緩めて、支持棒３５ａと取付部３３３との取り付け位置を上下に調整する。つまり、本実施の形態の雨水ます用フィルター３１では、外かご３３の位置を内かご３２よりも低く位置した状態で、外かご３３の高さを簡単に調整することが可能になる。言い換えると、外かご３３とマスプレート１０２との間の隙間Ｓｃの高さＳｃｈを、内かご３２とマスプレート１０２との間の隙間Ｓａの高さＳａｈよりも大きくした状態で簡単に調整することが可能になる。
【００６７】
したがって、ゴミの流入量が多い場合でも、外かご３３の位置を通常よりも低く設定することにより隙間Ｓｃの高さＳｃｈが大きくなるので、内かご３２の上端からあふれた落葉等の大きなゴミを雨水によって内かご３２と外かご３３の間の空間やます本体１２内の方へ確実に流し出すことが可能になる。そのため、マスプレート１０２の孔１０２ａの詰まり、ふた１３の孔１３ａの詰まり、隙間Ｓａ、Ｓｃ自体の詰まりを確実に抑えることが可能になる。よって、本実施の形態の雨水ます用フィルター３１は、第２の実施の形態の雨水ます用フィルター６に比べて内かご３２を取り出す頻度がさらに抑えられ、内かご３２の清掃作業をさらに省力化できる。
【００６８】
なお、本実施の形態で説明した取付部３３３の他に、図１３に示すような取付部４３３が挙げられる。この取付部４３３は樹脂で形成されており、外かご３３の上端部に装着された保持部材４３１に固定されている。そして、この取付部４３３は、外かご用取付部４３３ａと、吊り具用取付部４３３ｂとを備えている。
【００６９】
外かご用取付部４３３ａはＵ字状に形成されている。この外かご用取付部４３３ａは、保持部材４３１を下方から左右に挟むように配置されている。吊り具用取付部４３３ｂは、外かご用取付部４３３ａの上端に結合しており、吊り具用取付部４３３ｂとともに保持部材４３１の上下から挟むように配置されている。また、吊り具用取付部４３３ｂは、外かご用取付部４３３ａから側方へ延びて形成されている。吊り具用取付部４３３ｂの先端部には、取付孔（図示せず）が上下に貫通して設けられている。
【００７０】
一方、吊り具３５は、支持棒３５ａの下端部が、吊り具用取付部４３３ｂの取付孔に通されて配置されており、２つのナット３５ｂが、この吊り具用取付部４３３ｂを挟むようにして支持棒３５ａに螺合されている。
【００７１】
したがって、吊り具３５は、この取付部４３３に取り付けられた場合でも、２つのナット３５ｂを緩めて支持棒３５ａと取付部４３３との取り付け位置を上下に調整することが可能になる。また、この取付部４３３は、保持部材４３１に直接設けられていないので、上記の保持部材３３１のように保持部材４３１を２つの部材から構成する必要がなく、単一の部材から構成することができる。よって、この取付部４３３を使用した場合には、保持部材４３１の製造コストを抑えることができる。
【００７２】
以上、本件発明にかかる実施の形態を例示したが、これらの実施の形態は本件発明の内容を限定するものではない。また、本件発明の請求項の範囲を逸脱しない範囲であれば、各種の変更等は可能である。
【００７３】
例えば、図１４（ａ）に示すように、内かご２と外かご３は円筒状に形成される他に、（ｂ）や（ｃ）に示すように四角形の筒状に形成されても良い。また、孔２ａ、３ａは、必ずしもかご全体に設けなくても良い。例えば、外かご３が四角形の筒状に形成されている場合には、（ｃ）に示すように四隅を除いた部分に孔３ａを設けるようにしても良い。なお、図１４では、第１の実施の形態の内かご２と外かご３の場合を示したが、その他の実施の形態で説明した内かごや外かごの場合でも同様にしても良い。
【産業上の利用可能性】
【００７４】
以上説明したように本件発明の雨水ます用フィルターは、内かごの清掃作業の省力化を図ることができる。したがって、本件発明の雨水ます用フィルターを、雨水ます用フィルターの技術分野で十分に利用することができる。
【符号の説明】
【００７５】
１    雨水ます用フィルター
２    内かご
２ａ    内かごの孔
２ｃ    内かごの底部
３    外かご
３ａ    外かごの孔
３ｃ    外かごの底部
４    内かご用の吊り具
５    外かご用の吊り具
６    雨水ます用フィルター
７    外かご
７ａ    外かごの孔
７ｃ    外かごの底部
８    外かご用の吊り具
９    雨水ます用フィルター
１１    雨水ます
１２ａ    内側面
２１    雨水ます用フィルター
２２    内かご
２２ａ    内かごの孔
２２ｃ    内かごの底部
３１    雨水ます用フィルター
３２    内かご
３２ａ    内かごの孔
３２ｃ    内かごの底部
３３    外かご
３３ａ    外かごの孔
３３ｃ    外かごの底部
３４    内かご用の吊り具
３５    外かご用の吊り具
９１    内かご用の吊り具
９２    外かご用の吊り具
１０２    マスプレート
１０２ａ    マスプレートの孔
Ｓａ    隙間
Ｓｂ    空間
Ｓｃ    隙間
Ｓｄ    隙間
Ｓａｈ    隙間の高さ
Ｓｃｈ    隙間の高さ
Ａ    落葉等の大きなゴミ
Ｒ    雨水
【図１】
0005466585.tif 000002
【図２】
0005466585.tif 000003
【図３】
0005466585.tif 000004
【図４】
0005466585.tif 000005
【図５】
0005466585.tif 000006
【図６】
0005466585.tif 000007
【図７】
0005466585.tif 000008
【図８】
0005466585.tif 000009
【図９】
0005466585.tif 000010
【図１０】
0005466585.tif 000011
【図１１】
0005466585.tif 000012
【図１２】
0005466585.tif 000013
【図１３】
0005466585.tif 000014
【図１４】
0005466585.tif 000015
【図１５】
0005466585.tif 000016
【図１６】
0005466585.tif 000017